(57)【要約】【課題】片方の手だけで、操作性良く液体を吐出させることができるようにする。【解決手段】容器本体１１の開口部１２に取り付けられる蓋体２１と、容器本体１１に収容された液体を吸入して外部に吐出させるポンプ本体２２と、蓋体２１の周辺部において上下方向に回動可能に取り付けられ、ポンプ本体２２を上から押し下げて作動させるための作動部材２３と、作動部材２３が回動する側の蓋体２１の周辺部を通ってポンプ本体２２と接続される液体の吐出管２４とを備え、作動部材２３は、蓋体２１に対して回動する部分をてこの支点２３ａとし、ポンプ本体２２を作動させる部分をてこの作用点２３ｂとしたとき、支点２３ａから作用点２３ｂまでの距離よりも支点２３ａからの距離が長い力点２３ｃを有し、力点２３ｃが容器本体１１の投影面内に収まる形状であり、吐出管２４は、支点２３ａ、作用点２３ｂ、及び力点２３ｃよりも上方に伸びるようにした。【選択図】図１
2007126209.tif 000002
【特許請求の範囲】
【請求項１】
内部に液体を収容可能な容器本体（１１）に装着され、手を使って作動させることにより、前記容器本体（１１）内の液体を外部に吐出させる手動ポンプであって、
前記容器本体（１１）の上部に形成された開口部（１２）に取り付けられる蓋体（２１）と、
上下動させることにより、前記容器本体（１１）の内部に収容された液体を吸入して外部に吐出させるポンプ本体（２２）と、
前記蓋体（２１）の周辺部において上下方向に回動可能に取り付けられ、前記ポンプ本体（２２）を上から押し下げて作動させるための作動部材（２３）と、
前記作動部材（２３）が回動する側の前記蓋体（２１）の周辺部を通って前記ポンプ本体（２２）と接続される液体の吐出管（２４）と
を備え、
前記作動部材（２３）は、前記蓋体（２１）に対して回動する部分をてこの支点（２３ａ）とし、前記ポンプ本体（２２）を作動させる部分をてこの作用点（２３ｂ）としたとき、前記支点（２３ａ）から前記作用点（２３ｂ）までの距離よりも前記支点（２３ａ）からの距離が長い力点（２３ｃ）を有し、前記力点（２３ｃ）が前記容器本体（１１）の投影面内に収まる形状であり、
前記吐出管（２４）は、前記ポンプ本体（２２）から、前記作動部材（２３）における前記支点（２３ａ）、前記作用点（２３ｂ）、及び前記力点（２３ｃ）のそれぞれよりも上方に伸びる
ことを特徴とする手動ポンプ。
【請求項２】
請求項１に記載の手動ポンプにおいて、
ポンプ本体（２２）は、蓋体（２１）に対して偏心した位置に設置されている
ことを特徴とする手動ポンプ。
【請求項３】
内部に液体を収容可能な容器本体（１１）と、
前記容器本体（１１）に装着され、手を使って作動させることにより、前記容器本体（１１）の内の液体を外部に吐出させる手動ポンプと
を備える手動ポンプ付き液体容器であって、
前記手動ポンプは、
前記容器本体（１１）の上部に形成された開口部（１２）に取り付けられる蓋体（２１）と、
上下動させることにより、前記容器本体（１１）の内部に収容された液体を吸入して外部に吐出させるポンプ本体（２２）と、
前記蓋体（２１）の周辺部において上下方向に回動可能に取り付けられ、前記ポンプ本体（２２）を上から押し下げて作動させるための作動部材（２３）と、
前記作動部材（２３）が回動する側の前記蓋体（２１）の周辺部を通って前記ポンプ本体（２２）と接続される液体の吐出管（２４）と
を備え、
前記作動部材（２３）は、前記蓋体（２１）に対して回動する部分をてこの支点（２３ａ）とし、前記ポンプ本体（２２）を作動させる部分をてこの作用点（２３ｂ）としたとき、前記支点（２３ａ）から前記作用点（２３ｂ）までの距離よりも前記支点（２３ａ）からの距離が長い力点（２３ｃ）を有し、前記力点（２３ｃ）が前記容器本体（１１）の投影面内に収まる形状であり、
前記吐出管（２４）は、前記ポンプ本体（２２）から、前記作動部材（２３）における前記支点（２３ａ）、前記作用点（２３ｂ）、及び前記力点（２３ｃ）のそれぞれよりも上方に伸びる
ことを特徴とする手動ポンプ付き液体容器。
【請求項４】
請求項３に記載の手動ポンプ付き液体容器において、
容器本体（１１）は、底部（１３）が球面状に形成され、
手動ポンプ（２０）は、前記底部（１３）の最深部に向かって下方に伸びる液体の導入管（２５）を備える
ことを特徴とする手動ポンプ付き液体容器。
【請求項５】
請求項３又は請求項４に記載の手動ポンプ付き液体容器において、
容器本体（１１）は、下部に台座（１４）が取外し自在に取り付けられている
ことを特徴とする手動ポンプ付き液体容器。
【発明の詳細な説明】
【技術分野】
【０００１】
本発明は、手を使って作動させることにより、容器本体の内部に収容された液体を外部に吐出させる手動ポンプと、このような手動ポンプ付き液体容器に係るものであり、詳しくは、片方の手だけで、しかも、上から軽く押すだけで、内部の液体を簡単に吐出させることができるようにした技術に関するものである。
【背景技術】
【０００２】
液体石鹸やシャンプー等の液体は、手動ポンプ付き液体容器に収容されているのが一般的であり、使用の際には、その手動ポンプを手で押して、手のひらの上に液体石鹸等を吐出させている。
【０００３】
ここで、従来の手動ポンプは、ポンプ本体の頭部に水平方向に伸びる液体の吐出管が接続されており、さらに、この吐出管の上に作動部材が載置されている。そして、この作動部材を上から手で全体的に真っ直ぐ押し下げることにより、手動ポンプを作動させるようになっている。
【０００４】
このような従来の手動ポンプを使用する場合、通常の動作では、片方の手のひらを吐出管の先端（吐出口）の斜め下方に置き、他方の手で作動部材を押すことにより、吐出口の下方に置いた手のひらの上に液体を吐出させる。そのため、従来の手動ポンプで液体を吐出させるには、液体を受ける手と手動ポンプを作動させる手の両方を使う必要があり、片方の手に何かを持っていたり、けが等の理由によって片方の手が使えないような場合は、非常に不便なものであった。
【０００５】
そこで、片方の手だけで、手動ポンプを作動させつつ、その手のひらの上に液体を吐出させることができるようにした技術が知られている。
例えば、下記の特許文献１には、ポンプ本体の頭部から水平方向に伸びる吐出管の先端を上方に湾曲させながら作動部材の上まで伸ばし、作動部材の中心部に向けて吐出口を下向きにした手動ポンプが開示されている。
【特許文献１】特開２００１−３９４４７号公報
【０００６】
この特許文献１に記載の技術によれば、片方の手のひらを上に向けてその手の甲を作動部材の上に載せ、そのまま手の甲で作動部材を真っ直ぐに押し下げれば手動ポンプが作動する。すると、作動部材の上まで伸びている吐出管の下向きの吐出口から液体が吐出し、作動部材の上に載せた手のひらに液体を吐出させることができる。したがって、手動ポンプを作動させるために、両方の手を使う必要がない。
【０００７】
また、下記の特許文献２には、手動ポンプ付き液体容器に対し、片方の手だけで、てこ式に手動ポンプを作動させることができるようにした吊下げ具が開示されている。すなわち、Ｌ字形の吊下げ具の一端側を液体容器の蓋体部分に挿入する係着部とし、吸盤を設けた他端側を壁面への固定部とすることにより、壁面に手動ポンプ付き液体容器を吊り下げることができるようにしたものであって、固定部には、手動ポンプを作動させるための押圧体の一端部が回動可能に取り付けられており、吊下げ具に液体容器を吊り下げた際に、押圧体の中間部が手動ポンプの作動部材にかぶさるようになっている。
【特許文献２】特開２００２−１５３３９３号公報
【０００８】
このような特許文献２に記載の吊下げ具によれば、液体容器を吊り下げた際に、一端部が回動する押圧体の他端部が手動ポンプの吐出口よりも下方に位置するようになっているので、片方の手のひらを上に向けてその手の甲を押圧体の他端部に載せ、そのままその手の甲で押圧体を押し下げれば手動ポンプが作動し、その手のひらの上に液体を吐出させることができる。
【０００９】
さらに、特許文献２に記載の吊下げ具では、回動する押圧体の一端部がてこの支点となり、手動ポンプの作動部材にかぶさる押圧体の中間部がてこの作用点となるので、液体容器を吊り下げた後、押圧体の他端部を力点として押し下げれば、比較的軽い力で手動ポンプを作動させることができる。
【発明の開示】
【発明が解決しようとする課題】
【００１０】
このように、特許文献１及び特許文献２に記載の技術はいずれも、片方の手だけで手動ポンプを作動させられるとともに、その手のひらの上に液体を吐出させることができるようにしたものである。
【００１１】
しかし、特許文献１に記載の手動ポンプでは、第１に、液体を吐出させる動作がやりにくく、操作性が悪いという問題がある。すなわち、手動ポンプを作動させるには、手の甲を作動部材の上に載せ、そのまま真下に向けて押し下げなければならないが、手の甲を使って真っ直ぐ下向きの力を加える動作は日常的なものではないので、なかなか思うように力が入らず、手動ポンプを押し下げるのに難がある。
【００１２】
また、第２に、手動ポンプの高さが増し、手動ポンプ付き液体容器における液体の収容効率が悪いという問題がある。すなわち、特許文献１に記載の手動ポンプは、ポンプ本体の頭部から水平方向に伸びる吐出管の先端を上方に湾曲させながら作動部材の上まで伸ばしているので、高さとして、吐出管を水平方向に伸ばすために必要な高さ（吐出管の太さ＋α）と、作動部材を押し下げて手動ポンプを作動させるために必要な高さと、吐出管が上に伸びる高さとの総和が必要になるので、たとえ同じ大きさの容器本体であっても、特許文献１に記載の手動ポンプを装着すると手動ポンプ部分の高さだけが増加してしまい、高さの割に液体の収容量が確保できない。
【００１３】
一方、特許文献２に記載の吊下げ具では、第１に、吐出口の下に手のひらを置くことがむずかしく、操作性が悪いという問題がある。すなわち、既成の手動ポンプ付き液体容器に対し、吊下げ具を後付けして使用するので、吐出口の下に手のひらを置こうとすると、指先がポンプ本体や押圧体の中間部に衝突してしまい、吐出口の下まで手のひらを持って行きにくい。しかも、吐出管と押圧体との間は狭い空間しかないので、指を曲げて手のひらを差し込もうとしても吐出管が邪魔になり、上手く行かない。
【００１４】
また、第２に、手動ポンプ付き液体容器の持運びが不便になるという問題がある。すなわち、てこ式に手動ポンプを作動させるには、一端部が回動する押圧体の他端部を押し下げなければならないが、特許文献２に記載の吊下げ具は、てこ式に作動させることを全く考慮していない手動ポンプに対し、後付けでてこ式に作動させるものなので、力点が容器本体の側方に大きく飛び出してしまう。そのため、特許文献２に記載の吊下げ具では、使用に際して容器本体を転倒させるような大きなモーメントが作用することとなり、吸盤で吊下げ具を壁面に確実に固定しておかなければ、実際に手動ポンプを使用することができない。その結果、手動ポンプ付き液体容器を吊下げ具ごと持ち運ぶにしても、手動ポンプ付き液体容器のみを持ち運ぶにしても、非常に面倒なものになる。
【００１５】
したがって、本発明が解決しようとする課題は、片方の手だけで、操作性良く液体を吐出させることができ、しかも、液体の収容効率をできるだけ悪化させることなく、持運びも簡単にできるようにすることである。
【課題を解決するための手段】
【００１６】
本発明は、以下の解決手段によって上述の課題を解決する。
請求項１に係る発明は、内部に液体を収容可能な容器本体に装着され、手を使って作動させることにより、容器本体内の液体を外部に吐出させる手動ポンプであって、容器本体の上部に形成された開口部に取り付けられる蓋体と、上下動させることにより、容器本体の内部に収容された液体を吸入して外部に吐出させるポンプ本体と、蓋体の周辺部において上下方向に回動可能に取り付けられ、ポンプ本体を上から押し下げて作動させるための作動部材と、作動部材が回動する側の蓋体の周辺部を通ってポンプ本体と接続される液体の吐出管とを備え、作動部材は、蓋体に対して回動する部分をてこの支点とし、ポンプ本体を作動させる部分をてこの作用点としたとき、支点から作用点までの距離よりも支点からの距離が長い力点を有し、力点が容器本体の投影面内に収まる形状であり、吐出管は、ポンプ本体から、作動部材における支点、作用点、及び力点のそれぞれよりも上方に伸びることを特徴とする。
【００１７】
請求項２に係る発明は、請求項１に記載の手動ポンプにおいて、ポンプ本体は、蓋体に対して偏心した位置に設置されていることを特徴とする。
【００１８】
請求項３に係る発明は、内部に液体を収容可能な容器本体と、容器本体に装着され、手を使って作動させることにより、容器本体の内の液体を外部に吐出させる手動ポンプとを備える手動ポンプ付き液体容器であって、手動ポンプは、容器本体の上部に形成された開口部に取り付けられる蓋体と、上下動させることにより、容器本体の内部に収容された液体を吸入して外部に吐出させるポンプ本体と、蓋体の周辺部において上下方向に回動可能に取り付けられ、ポンプ本体を上から押し下げて作動させるための作動部材と、作動部材が回動する側の蓋体の周辺部を通ってポンプ本体と接続される液体の吐出管とを備え、作動部材は、蓋体に対して回動する部分をてこの支点とし、ポンプ本体を作動させる部分をてこの作用点としたとき、支点から作用点までの距離よりも支点からの距離が長い力点を有し、力点が容器本体の投影面内に収まる形状であり、吐出管は、ポンプ本体から、作動部材における支点、作用点、及び力点のそれぞれよりも上方に伸びることを特徴とする。
【００１９】
請求項４に係る発明は、請求項３に記載の手動ポンプ付き液体容器において、容器本体は、底部が球面状に形成され、手動ポンプは、底部の最深部に向かって下方に伸びる液体の導入管を備えることを特徴とする。
【００２０】
請求項５に係る発明は、請求項３又は請求項４に記載の手動ポンプ付き液体容器において、容器本体は、下部に台座が取外し自在に取り付けられていることを特徴とする。
【００２１】
請求項１に係る発明の手動ポンプ及び請求項３に係る発明の手動ポンプ付き液体容器では、ポンプ本体を上から押し下げて作動させるための作動部材が蓋体の周辺部において上下方向に回動可能に取り付けられており、この作動部材は、蓋体に対して回動する部分をてこの支点とし、ポンプ本体を作動させる部分をてこの作用点としたとき、支点から作用点までの距離よりも支点からの距離が長い力点を有する形状であるので、てこの作用により、作動部材の上に手の甲を載せて軽く力を加えるだけで、手動ポンプを作動させることができる。
【００２２】
また、液体の吐出管は、ポンプ本体から、蓋体の周辺部を通って作動部材における支点、作用点、及び力点のそれぞれよりも上方に伸びているので、蓋体の上側で吐出管を水平方向に伸ばす必要がなくなり、蓋体に完全に覆いかぶさるまで作動部材の押下げが可能となることから、その分だけ手動ポンプの高さを低く抑えることができる。さらに、吐出管は、作動部材が回動する側（支点側）の蓋体の周辺部を通って作動部材の支点、作用点、及び力点のそれぞれよりも上方に伸びるので、吐出管が作動部材の力点から離れるとともに、作動部材の上方に十分な空間が確保される結果、作動部材の上に手の甲側を載せる際に吐出管が邪魔にならなくなる。しかも、作動部材の力点が容器本体の投影面内に収められているので、転倒の心配がなくなる。
【００２３】
請求項２に係る発明の手動ポンプでは、ポンプ本体が蓋体に対して偏心した位置に設置されているので、ポンプ本体と平行に吐出管が上方に伸びる場合であっても、蓋体の大きさを必要最小限のものとすることができる。一方、ポンプ本体の上部に吐出管が接続されている場合には、そのままで吐出管が蓋体の周辺部を通るようになる。
【００２４】
請求項４に係る発明の手動ポンプ付き液体容器では、容器本体の底部が球面状に形成され、底部の最深部に向かって下方に伸びる液体の導入管を備えるので、容器本体内の液体を余すところなく吐出させることができる。
【００２５】
請求項５に係る発明の手動ポンプ付き液体容器では、容器本体の下部に台座が取外し自在に取り付けられているので、必要に応じて容器本体を洗面台等の上に固定し、使用時の転倒や横ずれを防止するための台座や、複数の手動ポンプ付き液体容器を並べて置くための台座を取り付けることができる。
【発明の効果】
【００２６】
請求項１に係る発明の手動ポンプ及び請求項３に係る発明の手動ポンプ付き液体容器によれば、てこの作用により、手の甲を載せて軽く力を加えるだけで手動ポンプを作動させることができる。また、手の甲を載せる十分な空間が確保されている。そのため、片方の手だけで、しかも、容器本体上で軽く押すだけで簡単に液体を吐出させることができ、手動ポンプ及び手動ポンプ付き液体容器の操作性が大幅に向上する。
【００２７】
請求項２に係る発明の手動ポンプによれば、蓋体の大きさを必要最小限のものとすることができる。そのため、手動ポンプの幅が必要以上に大きくならない。また、蓋体を取り付ける開口部が小さい既存の容器本体に対しても、手動ポンプを装着することができるようになる。
【００２８】
請求項４に係る発明の手動ポンプ付き液体容器によれば、容器本体内の液体を余すところなく吐出させることができる。そのため、容器本体内の液体を無駄なく使用することができる。
【００２９】
請求項５に係る発明の手動ポンプ付き液体容器によれば、取り付ける台座により、容器本体を洗面台等の上に固定して使用時の転倒や横ずれを防止したり、複数の手動ポンプ付き液体容器を並べて置くことができる。そのため、操作性がより一層向上する。
【発明を実施するための最良の形態】
【００３０】
以下、本発明の最良の実施形態について述べ、さらに、図面等を参照して、本発明の実施例について説明する。
本発明の手動ポンプ及び手動ポンプ付き液体容器は、容器本体の上部に形成された開口部に取り付けられる蓋体を備える。ここで、容器本体は、その内部に、液体石鹸、シャンプー、コンディショナー、各種の洗剤、消毒液等の液体を収容しておくものであり、通常は、液体を詰め替えるために、その上部に周囲が雄ねじの開口部（液体注入口）が形成されている。したがって、蓋体としては、この開口部（液体注入口）を覆ってねじ込むことができる円形のものが一般的である。
【００３１】
また、本発明の手動ポンプ及び手動ポンプ付き液体容器は、上下動させることにより、容器本体の内部に収容された液体を吸入して外部に吐出させるポンプ本体を備える。このポンプ本体としては、例えば、コイルバネに反発支持された円筒内の細長いシリンダーに下向きの力を加え、一度下降させたシリンダーをコイルバネで上昇させると円筒の下にある吸入弁が開いて液体が吸入され、再び下向きの力を加えてシリンダーを下降させると吐出弁から液体が吐出されるもの等がある。なお、ポンプ本体には、液体を泡状にして吐出する方式のものも含まれる。
【００３２】
このように、ポンプ本体は、例えば、円筒、シリンダー、吸入弁及び吐出弁によって構成され、円筒の上部を蓋体の下面に液密に固定することにより、シリンダーが蓋体を貫通し、蓋体の上方にシリンダーの上部が突き出るようにすることができる。そして、コイルバネを圧縮し、シリンダーの上部が蓋体の上面にほぼ一致するまでシリンダーを下降させれば、手動ポンプが作動する。
【００３３】
本発明の手動ポンプ及び手動ポンプ付き液体容器は、さらに、蓋体の周辺部において上下方向に回動可能に取り付けられ、ポンプ本体（シリンダー）を上から押し下げて作動させるための作動部材を備える。この作動部材としては、ポンプ本体の細長いシリンダーを手で簡単に下降させることができるように、上面が平面的なものが好ましい。そして、円形の蓋体の周辺部（蓋体の円周上の一部分）に作動部材の一端部を回動可能に取り付ければ、作動部材が蓋体の上から覆いかぶさるように上下回転するようになる。
【００３４】
また、作動部材は、一端部が蓋体上にあり、中間部がシリンダーの上部（コイルバネの反発力）によって持ち上げられるので、蓋体に対して回動する部分（一端部）がてこの支点で、ポンプ本体を作動させる部分（シリンダーの上部と接触する作動部材の下面部分）がてこの作用点になる。そのため、最も持ち上げられた反対側の部分（他端部）を力点とすることができ、この力点は、支点から作用点までの距離よりも支点からの距離が長いので、この力点に力を加えて作動部材を押し下げることにより、軽い力で手動ポンプを作動させることができる。しかも、作動部材の力点が容器本体の投影面内に収められているので、作動部材の押下げによって容器本体が転倒する心配がない。
【００３５】
さらにまた、本発明の手動ポンプ及び手動ポンプ付き液体容器は、作動部材が回動する側の蓋体の周辺部を通り、作動部材の支点、作用点、及び力点のそれぞれよりも上方に伸びる液体の吐出管を備える。この吐出管は、例えば、手動ポンプの吐出弁から水平方向に向かい、その後、Ｌ字形に折れ曲がって上方に向かい、鉛直面内で湾曲して先端（吐出口）が下向きとなる形状のものや、手動ポンプの吐出弁からそのまま上方に向かい、鉛直面内で湾曲して先端（吐出口）が下向きとなる形状のものである。
【００３６】
このような吐出管であれば、蓋体の上側と作動部材の下側との間で吐出管を水平方向に伸ばす必要がなく、蓋体に完全に覆いかぶさるまで作動部材を押し下げることができるようになるので、手動ポンプに必要な高さを低くすることができる。しかも、吐出管は、作動部材における力点とは反対側の位置を通って支点、作用点、及び力点のそれぞれよりも上方に伸びることとなるので、吐出管が作動部材の力点から遠く離れるとともに、作動部材の上方に十分な空間が確保され、作動部材の上に手の甲側を載せても吐出管が邪魔になることなく、手のひらを吐出口の下に位置させることができる。
【実施例１】
【００３７】
図１は、実施例１の手動ポンプ付き液体容器１０ａを示す断面図である。
図１に示すように、実施例１の手動ポンプ付き液体容器１０ａは、球状の容器本体１１に手動ポンプを装着したものである。この手動ポンプは、容器本体１１の上部に形成された開口部１２（液体注入口）に取り付けられる蓋体２１と、容器本体１１の内部に収容された液体（例えば、液体石鹸等）を吸入して外部に吐出させるポンプ本体２２と、ポンプ本体２２を上から押し下げて作動させるための作動部材２３と、ポンプ本体２２と接続された液体の吐出管２４と、容器本体１１の底部１３に向かって下方に伸びる液体の導入管２５とを備える。
【００３８】
ポンプ本体２２は、円筒２２ａ内でコイルバネ２２ｂに反発支持されたシリンダー２２ｃを有するものであり、円筒２２ａの下面にはボール式の吸入弁２２ｄが設けられ、円筒２２ａの側面にはボール式の吐出弁２２ｅが設けられている。そのため、シリンダー２２ｃに下向きの力を加え、一度下降させたシリンダー２２ｃをコイルバネ２２ｂで上昇させると、円筒２２ａの下にある吸入弁２２ｄが開いてシリンダー２２ｃと吸入弁２２ｄとの間の内部空間に下から液体が吸入される。また、再び下向きの力を加えてシリンダー２２ｃを下降させると、今度は吐出弁２２ｅから液体が吐出される。このように、ポンプ本体２２は、シリンダー２２ｃを上下動させることにより、液体を吸入して外部に吐出させることができる。
【００３９】
このポンプ本体２２は、蓋体２１に対して偏心した位置に設置されており、細長いシリンダー２２ｃが蓋体２１を貫通し、シリンダー２２ｃの半球状の頭部が蓋体２１の上方に突出している。また、吸入弁２２ｄの部分には導入管２５が接続され、吐出弁２２ｅの部分には吐出管２４が接続されている。
【００４０】
このようなポンプ本体２２を作動させる作動部材２３は、天板を有する円筒を斜めに切り欠いた形状のものであり、蓋体２１の周辺部（蓋体２１の円周上の一部分）において上下方向に回動可能に取り付けられている。そのため、この取付け部が支点２３ａとなって回転し、図１に実線で示す状態と点線で示す状態とになり得る。そして、通常は、コイルバネ２２ｂに反発支持されたシリンダー２２ｃが作動部材２３の天板の下面を押し上げ、跳ね上げられた状態（実線）になっている。なお、作動部材２３の跳上りは、吐出管２４に形成されたストッパー２４ａによって制限されている。
【００４１】
したがって、作動部材２３は、てこ式に手動ポンプを作動させることができる。すなわち、作動部材２３は、蓋体２１に対して回動する部分がてこの支点２３ａになり、シリンダー２２ｃの半球状の頭部が作動部材２３の天板の下面を押し上げる部分がてこの作用点２３ｂになる。そのため、支点２３ａと反対側の天板の周辺部を力点２３ｃとして上から作動部材２３を押し下げることにより、軽い力でコイルバネ２２ｂを圧縮し、シリンダー２２ｃを下降させることができる。しかも、力点２３ｃが容器本体１１の投影面内にあるので、力点２３ｃに力を加えても、容器本体１１が転倒する心配はない。
【００４２】
さらに、吐出管２４は、吐出弁２２ｅの部分から水平方向に向かった後、Ｌ字形に折れ曲がって上方に向かい、支点２３ａ側から蓋体２１の周辺部を貫通し、そのまま作動部材２３も貫通して支点２３ａ、作用点２３ｂ、及び力点２３ｃのそれぞれよりも上方に伸びている。そして、鉛直面内で湾曲して先端の吐出口２４ｂが下向きになっている。そのため、吐出管２４が作動部材２３の周辺部を通ることとなり、作動部材２３の上面が吐出管２４に邪魔されることなく、広く開放されたものとなる。しかも、蓋体２１と作動部材２３との間で吐出管２４が水平方向に向かうことがないので、蓋体２１に完全に覆いかぶさるまで作動部材２３を押し下げることができる。
【００４３】
このように、吐出管２４が蓋体２１を貫通して作動部材２３の周辺部を通り、支点２３ａ、作用点２３ｂ、及び力点２３ｃのそれぞれよりも上方に伸びると、作動部材２３の上面が広く開放されるので、作動部材２３の上に簡単に手の甲側を載せることができる。また、作動部材２３を蓋体２１に完全に覆いかぶせることができるので、手動ポンプの高さを低く抑えたり、逆に、手動ポンプの高さが低くなる分だけ容器本体１１の高さを増やすことができ、液体の収容効率が向上する。なお、吐出管２４の少なくとも先端部を可とう性のものにしておけば、吐出口２４ｂの向きを手のひらの位置に合せて自由に調整することができるようになる。
【００４４】
一方、導入管２５は、球面状の底部１３の最深部に向かって伸びており、先端がＶ字形に切り込まれている。そのため、最後の液体が集まる部分に導入管２５の先端を位置させることができ、導入管２５の先端が底部１３に接触していてもＶ字形の切込みから液体を吸入することができるので、容器本体１１内の液体をほとんど残さずに使い切ることが可能になる。
【００４５】
このような蓋体２１、ポンプ本体２２、作動部材２３、吐出管２４及び導入管２５を備える手動ポンプは、図１に示すように、周囲に雄ねじが形成された開口部１２に蓋体２１をねじ込むことによって容器本体１１に装着することができる。すなわち、作動部材２３は、通常は、図１の実線で示すように跳ね上げられている。そのため、蓋体２１の側面が露出しており、この側面を指でつまんで回すことによって簡単にねじ込みでき、実施例１の手動ポンプ付き液体容器１０ａとなる。
【００４６】
なお、ポンプ本体２２は、蓋体２１に対して偏心した位置に設置され、吐出管２４は、ポンプ本体２２と反対側の位置から蓋体２１を貫通するので、蓋体２１の大きさを必要最小限にすることができる。そのため、蓋体２１の大きさを既存の容器本体の開口部に合せることも容易にできるので、図１に示す容器本体１１に限らず、多くの容器本体に装着することが可能である。
【００４７】
また、容器本体１１に収容する液体の種類（例えば、シャンプー、リンス、ボディーソープ）により、容器本体１１や作動部材２３等の色や質感等を変更し、視覚的又は触覚的に液体の種類を判別できるようにすることも可能である。
【００４８】
図２は、実施例１の手動ポンプ付き液体容器１０ａの使用状態を示す側面図である。
実施例１の手動ポンプ付き液体容器１０ａを使用するには、最初に、手のひらを上にして、図２（ａ）に示すように、作動部材２３の上面に手の甲側を置けば良い。この際、作動部材２３の上面が広く開放されているので、吐出管２４に邪魔されることなく、簡単に手を置くことができる。そうすると、各指の背の第２関節の周辺部が作動部材２３の力点２３ｃ上に自然に位置するようになる。また、吐出管２４の吐出口２４ｂが手のひらに向く。
【００４９】
次に、作動部材２３の力点２３ｃを押し下げるように力を加えれば、作動部材２３が支点２３ａを中心に回転し、図２（ｂ）に示すように、作動部材２３の上面が水平になって蓋体２１を覆い隠すようになる。この際、支点２３ａから力点２３ｃまでの距離は、図１に示すように、支点２３ａから作用点２３ｂまでの距離よりも長いので、てこの作用により、軽く力を加えるだけで良い。すると、シリンダー２２ｃが下降し、図２（ｂ）に示すように、吐出口２４ｂから手のひらの上に液体が吐出する。
【００５０】
したがって、片方の手だけで軽く作動部材２３を押し下げることができ、その手のひらの上に操作性良く液体を吐出させることができる。また、従来の手動ポンプ付き液体容器よりも容器本体１１の高さを増やすことができ、液体の収容効率が向上する。さらに、持運びも簡単にできる。
【実施例２】
【００５１】
図３は、実施例２の手動ポンプ付き液体容器１０ｂを示す断面図である。
図３に示す実施例２の手動ポンプ付き液体容器１０ｂは、図１に示す実施例１の手動ポンプ付き液体容器１０ａに対し、容器本体１１、ポンプ本体２２、及び吐出管２４の構造を変更したものである。すなわち、ポンプ本体２２は、大径の円筒２２ａと吸入弁２２ｄとを有しており、吐出管２４は、上側の吐出部と下側のシリンダー兼用部とから構成されている。そして、吐出管２４のシリンダー兼用部は、下端に板式の吐出弁２２ｅを備えており、ポンプ本体２２の円筒２２ａ内を上下動するようになっている。
【００５２】
また、作動部材２３は、蓋体２１との間に配置されたコイルバネ２６によって跳ね上げられ、作用点２３ｂでは、作動部材２３が吐出管２４のシリンダー兼用部の側面に食い込んでいる。そのため、コイルバネ２６により、作動部材２３の作用点２３ｂを介して吐出管２４の全体が上昇し、円筒２２ａの下にあるボール式の吸入弁２２ｄが開いて、吐出弁２２ｅと吸入弁２２ｄとの間の内部空間に液体が吸入される。
【００５３】
実施例２の手動ポンプ付き液体容器１０ｂを使用するには、手のひらを上にして作動部材２３の上面に手の甲側を置き、作動部材２３の力点２３ｃを押し下げる。すると、作動部材２３が支点２３ａを中心に回転し、作用点２３ｂを介して吐出管２４の全体が下降するとともに、吐出弁２２ｅが開く。そのため、ポンプ本体２２内の液体が吐出管２４の吐出口２４ｂから吐出する。
【００５４】
このような実施例２の手動ポンプ付き液体容器１０ｂによれば、実施例１の手動ポンプ付き液体容器１０ａよりも支点２３ａから作用点２３ｂまでの距離が短くなるので、より軽い力で吐出管２４のシリンダー兼用部を下降させることができる。また、コイルバネ２６がポンプ本体２２から独立しているので、ポンプ本体２２の形状等に制約されることなく、コイルバネ２６のバネ定数を自由に設定することができる。そのため、ポンプ本体２２を作動させる力を適度なものにすることが一層簡単になる。なお、実施例２の手動ポンプ付き液体容器１０ｂでは、吐出管２４のシリンダー兼用部のストロークが短くなるので、液体の吸入量及び吐出量を確保するために、円筒２２ａを大径にしている。
【００５５】
さらに、実施例２の手動ポンプ付き液体容器１０ｂでは、容器本体１１が上下の分割体になっている。そのため、上下の色等の組み合わせを簡単に変更することができるので、例えば、シャンプー、リンス、ボディーソープで別の色の組み合わせにしておけば、収容されている液体の判別が容易になる。
【実施例３】
【００５６】
図４は、実施例３の手動ポンプ付き液体容器１０ｃを示す断面図である。
図４に示す実施例３の手動ポンプ付き液体容器１０ｃは、図１に示す実施例１の手動ポンプ付き液体容器１０ａに対し、容器本体１１、ポンプ本体２２、及び吐出管２４の構造を変更したものである。すなわち、背後が平面の容器本体１１の底部１３に台座１４が取り付けられており、この台座１４は、三角形に並ぶ、１つの吸盤部１４ａ及び２つの脚部１４ｃを有している。そのため、容器本体１１の背後を洗面台等の壁面にぴったりとくっつけながら、吸盤部１４ａによって容器本体１１を簡単かつ確実に固定できるとともに、使用時の転倒や横ずれを防止できる。なお、吸盤部１４ａによる容器本体１１の固定は、吸盤部１４ａに形成されている解放片によって簡単に解除できる。
【００５７】
また、ポンプ本体２２は、大径の円筒２２ａ、コイルバネ２２ｂ、吸入弁２２ｄ、及び吐出弁２２ｅを有しており、吐出管２４は、図３に示す実施例２の手動ポンプ付き液体容器１０ｂと同様に、上側の吐出部と下側のシリンダー兼用部とから構成されている。そして、吐出管２４の吐出部は、Ｓ字状に曲がっており、吐出口２４ｂの近くには、花びら状の装飾部材２８が取り付けられている。そのため、吐出管２４が花のように見える視覚効果を有する。一方、吐出管２４のシリンダー兼用部は、ポンプ本体２２の円筒２２ａ内を上下動して吐出弁２２ｅを作動させるようになっている。そのため、コイルバネ２２ｂにより、作用点２３ｂを介して作動部材２３が跳ね上げられるとともに、吐出管２４の全体が上昇する。
【００５８】
実施例３の手動ポンプ付き液体容器１０ｃを使用するには、最初に、手のひらを上にして、図４に示すように、作動部材２３の上面に手の甲側を置けば良い。この際、吐出管２４の吐出部は、図４に示すように、Ｓ字状に曲がっており、作動部材２３の上面が広く開放されているので、吐出管２４に邪魔されることなく、簡単に手を置くことができる。そうすると、各指の背の第２関節の周辺部が作動部材２３の力点２３ｃ上に自然に位置するようになる。また、吐出管２４の吐出口２４ｂが手のひらに向く。
【００５９】
図５は、実施例３の手動ポンプ付き液体容器１０ｃの使用状態を示す断面図である。
実施例３の手動ポンプ付き液体容器１０ｃは、作動部材２３の上面に手の甲側を置き、そのまま力点２３ｃを押し下げるように力を加えれば、作動部材２３が支点２３ａを中心に回転し、図５に示すように、作動部材２３の上面が水平になって蓋体２１を覆い隠すようになる。この際、実施例１の手動ポンプ付き液体容器１０ａよりも支点２３ａから作用点２３ｂまでの距離が短くなっているので、より軽く力を加えるだけで良い。すると、吐出管２４の全体が下降し、図５に示すように、吐出口２４ｂから手のひらの上に液体が吐出する。
【００６０】
したがって、片方の手だけで軽く作動部材２３を押し下げることができ、その手のひらの上に操作性良く液体を吐出させることができる。また、作動部材２３の上面に手の甲を載せる際には、吐出管２４がＳ字状に曲がっているので、吐出管２４が邪魔になることはない。さらに、液体を吐出させる際には、作動部材２３の押下げとともに吐出管２４が下降するので、作動部材２３の押下げによって手のひらが吐出口２４ｂから離れてしまうこともなく、吐出口２４ｂから吐出された液体が確実に手のひらの上に向かう。
【００６１】
また、実施例３の手動ポンプ付き液体容器１０ｃは、台座１４が容器本体１１の底部１３に取り付けられており、３か所に設けられた突起部１４ｄが対応する３つの溝部１３ａにはまり込んで固定されるようになっている。そのため、台座１４は、突起部１４ｄを溝部１３ａから外すことにより、容器本体１１から簡単に取り外すことが可能であり、例えば、後述する別の台座１５と取り替えて、複数の手動ポンプ付き液体容器１０ｃを並べて置くことができる。
【実施例４】
【００６２】
図６は、実施例３の手動ポンプ付き液体容器１０ｃを３つ並べて配置した例（実施例４）を示す正面図である。
前述したように、実施例３の手動ポンプ付き液体容器１０ｃは、図４に示す台座１４の突起部１４ｄが溝部１３ａにはまり込むことで取り付けられているので、台座１４が取外し自在となっている。そこで、図６に示すように、３つの手動ポンプ付き液体容器１０ｃを取り付けることができる別の台座１５を用意し、その各突起部１５ａを各溝部１３ａ（図４参照）にそれぞれはめ込めば、手動ポンプ付き液体容器１０ｃを３つ並べて配置することができる。
【００６３】
ここで、３つの手動ポンプ付き液体容器１０ｃの各作動部材２３には、色と模様が異なる３種類のクッション材２７ａ、クッション材２７ｂ、及びクッション材２７ｃがそれぞれ貼り付けられている。そして、クッション材２７ａの表面には、収容する液体がシャンプーであることを示す「Ｓ」の文字をモチーフにした模様が描かれており、クッション材２７ｂの表面には、収容する液体がリンスであることを示す「Ｒ」の文字をモチーフにした模様が描かれており、クッション材２７ｃの表面には、収容する液体がボディーソープであることを示す「Ｂ」の文字をモチーフにした模様が描かれている。
【００６４】
したがって、図６に示す台座１５により、風呂場に並べて置かれることが多いシャンプー、リンス、及びボディーソープをそれぞれ収容した３つの手動ポンプ付き液体容器１０ｃを整列させることができる。そして、クッション材２７ａ、クッション材２７ｂ、及びクッション材２７ｃにより、液体を吐出させる際の使用感を向上させつつ、表面に描かれた模様から、各手動ポンプ付き液体容器１０ｃに収容されている液体の種類を容易に判別できる。また、花びら状の各装飾部材２８は、クッション材２７ａ、クッション材２７ｂ、及びクッション材２７ｃに合わせた配色となっており、正面から見ると、液体の種類（シャンプー、リンス、ボディーソープ）に応じて３つの異なる色の花が並んで咲いているように見える。
【実施例５】
【００６５】
図７は、実施例５の手動ポンプ付き液体容器１０ｄを示す断面図である。
図７に示す実施例５の手動ポンプ付き液体容器１０ｄは、図４に示す実施例３の手動ポンプ付き液体容器１０ｃに対し、液体の吐出量を調整するための調整ネジ２９を追加したものである。すなわち、蓋体２１に調整ネジ２９が取り付けられており、この調整ネジ２９は、下側にある平板状のつまみ部２９ａを指でつまんで回すことにより、蓋体２１に対して上下するようになっている。そのため、容器本体１１を取り外し、蓋体２１の裏面側からつまみ部２９ａを指で回して調整ネジ２９を上下させれば、蓋体２１の上面から調整ネジ２９が突出する程度を自由に変更することができる。
【００６６】
図８は、実施例５の手動ポンプ付き液体容器１０ｄの使用状態を示す断面図である。
実施例５の手動ポンプ付き液体容器１０ｄにおいて、図７に示す状態では、調整ネジ２９が蓋体２１の上面からある程度突出した状態になっている。そして、この状態で作動部材２３の上面に手の甲側を置き、作動部材２３を押し下げると、図８に示すように、作動部材２３は、その下面が調整ネジ２９の頭部と接触した位置で止まる。すなわち、作動部材２３の押下げ量が調整ネジ２９によって途中で規制されるようになる。すると、吐出管２４のシリンダー兼用部の下降量が少なくなり、その結果、ポンプ本体２２による液体の吐出量が減ることとなる。
【００６７】
したがって、調整ネジ２９のつまみ部２９ａを指でつまんで回し、蓋体２１の上面から調整ネジ２９が突出する程度を適宜設定すれば、容器本体１１に収容されている液体の種類（例えば、シャンプー、リンス、ボディーソープ）に応じて適度な吐出量になるように調整したり、使用者の好みに応じて液体の吐出量を調整することができる。
【実施例６】
【００６８】
図９は、実施例６の手動ポンプ付き液体容器１０ｅを示す断面図である。
図９に示す実施例６の手動ポンプ付き液体容器１０ｅは、図１に示す実施例１の手動ポンプ付き液体容器１０ａに対し、容器本体１１の形状を変更し、蓋体２１や作動部材２３を大径化したものである。そして、吐出管２４が蓋体２１の周辺部を貫通するようにしつつ、ポンプ本体２２を蓋体２１の中心に配置している。
【００６９】
このような実施例６の手動ポンプ付き液体容器１０ｅによれば、作動部材２３を大径化した分だけ作用点２３ｂから力点２３ｃまでの距離が長くなるので、図１に示す実施例１の手動ポンプ付き液体容器１０ａと同じポンプ本体２２であっても、より軽い力でシリンダー２２ｃを下降させることができる。
【００７０】
また、作動部材２３が大径化しているので、作動部材２３の上面がより広く開放されたものになっている。そのため、使用者は、自分の手の甲側の最も楽な部分を選んで作動部材２３の上に載せることができるだけでなく、軽い力でシリンダー２２ｃを下降させることができる力点２３ｃの範囲も広くなる。
【００７１】
さらに、実施例６の手動ポンプ付き液体容器１０ｅは、容器本体１１の底部１３にはめ込み式の台座１４が取外し自在に取り付けられており、台座１４は、吸盤部１４ａ及び解放片１４ｂを有している。そのため、吸盤部１４ａによって容器本体１１を洗面台等の上に簡単かつ確実に固定できるとともに、使用時の転倒や横ずれを防止できる。一方、手動ポンプ付き液体容器１０ｅを持ち運ぶ際には、解放片１４ｂによって容器本体１１の固定を解除すれば良い。なお、台座１４を取り替えれば、図６に示す実施例４の手動ポンプ付き液体容器１０ｃのように、実施例６の手動ポンプ付き液体容器１０ｅを複数並べて配置することもできる。
【００７２】
さらにまた、実施例６の手動ポンプ付き液体容器１０ｅは、図６に示す実施例４の手動ポンプ付き液体容器１０ｃと同様、作動部材２３の力点２３ｃの周辺部にクッション材２７が貼り付けられている。そのため、液体を吐出させる際の使用感が向上する。しかも、容器本体１１に収容する液体の種類（例えば、シャンプー、リンス、ボディーソープ）によってクッション材２７や台座１４の色、質感等を変更すれば、視覚的又は触覚的に液体の種類を判別できるようになる。
【００７３】
なお、実施例６の手動ポンプ付き液体容器１０ｅでは、作動部材２３の大径化に伴って吐出管２４の吐出口２４ｂの位置も変更しているが、吐出管２４を可とう性のものにしておけば、吐出口２４ｂの向きを自由に調整できるようになる。
【実施例７】
【００７４】
図１０は、実施例７の手動ポンプ付き液体容器１０ｆを示す断面図である。
図１０示す実施例７の手動ポンプ付き液体容器１０ｆは、図９に示す実施例６の手動ポンプ付き液体容器１０ｅに対し、吐出管２４が作動部材２３の押下げとともに上下に首を振るようにしたものである。すなわち、吐出管２４は、ストッパー２４ａの下部が蛇腹状になっており、可とう性を有している。そのため、吐出管２４は、ストッパー２４ａから上方が作動部材２３の上面に対して常に垂直になる。
【００７５】
このような実施例７の手動ポンプ付き液体容器１０ｆによれば、作動部材２３が押し下げられていないときは、図１０に示すように、吐出管２４が後方に反り返って作動部材２３の上面が一層広く開放される。そのため、吐出管２４の高さを低くしても、作動部材２３の上面に手の甲を載せる際の邪魔にならないので、手動ポンプの高さを低く抑えることができる。また、逆に、手動ポンプの高さが低くなる分だけ容器本体１１の高さを増やすことができるので、液体の収容効率が向上する。
【００７６】
さらに、作動部材２３を押し下げれば、吐出管２４のストッパー２４ａから上方が作動部材２３とともに回転し、吐出口２４ｂが下に向くので、作動部材２３に載せた手のひらの所望の位置に容易に液体を吐出させることができる。
【００７７】
図１１は、実施例７の手動ポンプ付き液体容器１０ｆの使用状態を示す断面図である。
実施例７の手動ポンプ付き液体容器１０ｆを使用するには、最初に、手のひらを上にして、図１１に示すように、作動部材２３の上面にあるクッション材２７に手の甲を置けば良い。この際、手を置く前の吐出管２４は、図１０に示すように、後方に反り返っており、作動部材２３の上面が広く開放されているので、吐出管２４に邪魔されることなく、簡単に手を置くことができる。そうすると、手の甲が作動部材２３の力点２３ｃ上に自然に位置するようになる。
【００７８】
次に、作動部材２３の力点２３ｃを押し下げるように力を加えれば、作動部材２３が支点２３ａを中心に回転し、図１１の矢印で示すように、吐出管２４も回転して吐出口２４ｂが手のひらに向く。また、作動部材２３の上面が水平になって蓋体２１を覆い隠すようになる。この際、支点２３ａから力点２３ｃまでの距離は、図１０に示すように、支点２３ａから作用点２３ｂまでの距離よりも長いので、てこの作用により、軽く力を加えるだけで良い。しかも、クッション材２７によって心地良く力を加えることができる。すると、ポンプ本体２２が作動し、図１１に示すように、吐出口２４ｂから手のひらの上に液体が吐出する。
【００７９】
したがって、片方の手だけで軽く作動部材２３を押し下げることができ、その手のひらの上に操作性良く液体を吐出させることができる。また、吐出管２４が作動部材２３の押下げとともに上下に首を振るので、作動部材２３の上面に手の甲を載せる際には、吐出管２４が全く邪魔にならず、液体を吐出させる際には、吐出管２４の吐出口２４ｂが確実に手のひらの中央に向かう。
【実施例８】
【００８０】
図１２は、実施例８の手動ポンプ付き液体容器１０ｇを示す断面図である。
図１２に示す実施例８の手動ポンプ付き液体容器１０ｇは、図９に示す実施例６の手動ポンプ付き液体容器１０ｅに対し、ポンプ本体２２及び吐出管２４の構造を変更したものである。すなわち、ポンプ本体２２は、下面が開口した蛇腹状のバネであり、蓋体２１と作動部材２３との間に挟まれた状態で、突起２１ａによって固定されている。そして、蓋体２１には、加圧穴２１ｂが形成されており、作動部材２３の加圧穴２１ｂに対応する範囲が作用点２３ｂとなっている。また、吐出管２４は、容器本体１１の底部１３に向かって下方まで伸びている。
【００８１】
実施例８の手動ポンプ付き液体容器１０ｇでは、作動部材２３の力点２３ｃを押し下げるとポンプ本体２２が圧縮され、ポンプ本体２２内にあった空気が加圧穴２１ｂを通って容器本体１１内に流入する。すると、その空気圧によって容器本体１１内にある液体の液面が下がり、その分だけ吐出管２４内の液体が押し出され、先端がＶ字形に切り込まれた吐出口２４ｂから液体が吐出する。
【００８２】
このような実施例８の手動ポンプ付き液体容器１０ｇによれば、ポンプ本体２２の構造を単純化することができる。なお、吐出管２４は、全体が可とう性を有しており、実施例７の手動ポンプ付き液体容器１０ｆと同様に、作動部材２３の押下げとともに吐出管２４が上下に首を振る。
【実施例９】
【００８３】
図１３は、実施例９の手動ポンプ付き液体容器１０ｈを示す断面図である。
図１３に示す実施例９の手動ポンプ付き液体容器１０ｈは、図９に示す実施例６の手動ポンプ付き液体容器１０ｅに対し、蓋体２１、ポンプ本体２２、及び吐出管２４の構造を変更したものである。すなわち、図１３に示すように、蓋体２１は、小径の凹部と大径の凹部とを有しており、ポンプ本体２２は、内周面に雌ねじが形成された取付け部材２２ｆにより、蓋体２１の小径の凹部内にねじ込まれている。そのため、仮にポンプ本体２２が故障等した場合であっても、蓋体２１をそのまま残して、ポンプ本体２２だけを容易に取り替えることができる。
【００８４】
図１４は、実施例９の手動ポンプ付き液体容器１０ｈの使用状態を示す断面図である。
図１４に示すように、吐出管２４は、ポンプ本体２２の頭部から水平方向に向かい、その後、Ｌ字形に折れ曲がり、蓋体２１の周辺部を通って上方に伸びているが、吐出管２４の水平部分は、蓋体２１の大径の凹部内に収まるようになっている。そのため、蓋体２１に完全に覆いかぶさるまで作動部材２３を押し下げることができる。すると、吐出管２４の全体が下降するとともに、吐出口２４ｂから手のひらの上に液体が吐出する。なお、吐出口２４ｂの近くには、花びら状の装飾部材２８が取り付けられている。
【産業上の利用可能性】
【００８５】
本発明の手動ポンプ及び手動ポンプ付き液体容器は、片方の手だけで、操作性良く液体を吐出させることができ、しかも、液体の収容効率を悪化させることなく、簡単に持運びができるので、様々な液体を吐出させる手動ポンプ及び手動ポンプ付き液体容器に適用することができる。
【図面の簡単な説明】
【００８６】
【図１】手動ポンプ付き液体容器を示す断面図である。（実施例１）
【図２】手動ポンプ付き液体容器の使用状態を示す側面図である。（実施例１）
【図３】手動ポンプ付き液体容器を示す断面図である。（実施例２）
【図４】手動ポンプ付き液体容器を示す断面図である。（実施例３）
【図５】手動ポンプ付き液体容器の使用状態を示す断面図である。（実施例３）
【図６】手動ポンプ付き液体容器を３つ並べて配置した例を示す正面図である。（実施例４）
【図７】手動ポンプ付き液体容器を示す断面図である。（実施例５）
【図８】手動ポンプ付き液体容器の使用状態を示す断面図である。（実施例５）
【図９】手動ポンプ付き液体容器を示す断面図である。（実施例６）
【図１０】手動ポンプ付き液体容器を示す断面図である。（実施例７）
【図１１】手動ポンプ付き液体容器の使用状態を示す断面図である。（実施例７）
【図１２】手動ポンプ付き液体容器を示す断面図である。（実施例８）
【図１３】手動ポンプ付き液体容器を示す断面図である。（実施例９）
【図１４】手動ポンプ付き液体容器の使用状態を示す断面図である。（実施例９）
【符号の説明】
【００８７】
１０ａ〜１０ｈ    手動ポンプ付き液体容器
１１    容器本体
１２    開口部
１３    底部
１３ａ    溝部
１４    台座
１４ａ    吸盤部
１４ｂ    解放片
１４ｃ    脚部
１４ｄ    突起部
１５    台座
１５ａ    突起部
２１    蓋体
２１ａ    突起
２１ｂ    加圧穴
２２    ポンプ本体
２２ａ    円筒
２２ｂ    コイルバネ
２２ｃ    シリンダー
２２ｄ    吸入弁
２２ｅ    吐出弁
２２ｆ    取付け部材
２３    作動部材
２３ａ    支点
２３ｂ    作用点
２３ｃ    力点
２４    吐出管
２４ａ    ストッパー
２４ｂ    吐出口
２５    導入管
２６    コイルバネ
２７，２７ａ〜２７ｃ    クッション材
２８    装飾部材
２９    調整ネジ
２９ａ    つまみ部
【図１】
2007126209.tif 000003
【図２】
2007126209.tif 000004
【図３】
2007126209.tif 000005
【図４】
2007126209.tif 000006
【図５】
2007126209.tif 000007
【図６】
2007126209.tif 000008
【図７】
2007126209.tif 000009
【図８】
2007126209.tif 000010
【図９】
2007126209.tif 000011
【図１０】
2007126209.tif 000012
【図１１】
2007126209.tif 000013
【図１２】
2007126209.tif 000014
【図１３】
2007126209.tif 000015
【図１４】
2007126209.tif 000016